(57)【要約】  プロペラファンは、軸部と、翼と、を備え、翼は、軸部に接続された付け根部と、付け根部又は付け根部よりも外周側に位置し、回転軸からの距離がｒ１となる第１部分と、回転軸からの距離がｒ１よりも長いｒ２となる第２部分と、回転軸からの距離がｒ２以上であるｒ３となる第３部分と、翼の外周端に位置し、回転軸からの距離がｒ３よりも長いｒｔとなるチップ部と、を有しており、第１部分での翼の反り角をθ１とし、第２部分での翼の反り角をθ２とし、第３部分での翼の反り角をθ３とし、チップ部での翼の反り角をθｔとしたとき、（θ２−θ１）／（ｒ２−ｒ１）＞（θｔ−θ３）／（ｒｔ−ｒ３）≧０の関係が満たされる。
2018193545.tif 000002
【特許請求の範囲】
【請求項１】
回転軸上に設けられた軸部と、
前記軸部の外周側に設けられた翼と、を備え、
前記翼は、
前記軸部に接続された付け根部と、
前記付け根部又は前記付け根部よりも外周側に位置し、前記回転軸からの距離がｒ１となる第１部分と、
前記回転軸からの距離がｒ１よりも長いｒ２となる第２部分と、
前記回転軸からの距離がｒ２以上であるｒ３となる第３部分と、
前記翼の外周端に位置し、前記回転軸からの距離がｒ３よりも長いｒｔとなるチップ部と、を有しており、
前記第１部分での前記翼の反り角をθ１とし、前記第２部分での前記翼の反り角をθ２とし、前記第３部分での前記翼の反り角をθ３とし、前記チップ部での前記翼の反り角をθｔとしたとき、
（θ２−θ１）／（ｒ２−ｒ１）＞（θｔ−θ３）／（ｒｔ−ｒ３）≧０
の関係が満たされるプロペラファン。
【請求項２】
前記第１部分と前記第２部分との間での前記翼の反り角は、前記回転軸からの距離の増加に従って増加しており、
前記第３部分と前記チップ部との間での前記翼の反り角は、前記回転軸からの距離の増加に従って増加しているか又は一定である請求項１に記載のプロペラファン。
【請求項３】
ｒ２＝ｒ３の関係が満たされる請求項１又は請求項２に記載のプロペラファン。
【請求項４】
ｒ３≦０．９×ｒｔの関係が満たされる請求項１〜請求項３のいずれか一項に記載のプロペラファン。
【請求項５】
前記回転軸からの距離と前記翼の反り角との関係をグラフに表したとき、低反り角側に凸となる部分が前記第１部分と前記第２部分との間の少なくとも一部に存在する請求項１〜請求項４のいずれか一項に記載のプロペラファン。
【請求項６】
前記第３部分と前記チップ部との間での前記翼の反り角は、前記回転軸からの距離の増加に従って線形的に変化しているか又は一定である請求項１〜請求項５のいずれか一項に記載のプロペラファン。
【請求項７】
請求項１〜請求項６のいずれか一項に記載のプロペラファンを備えた空気調和装置用室外機。
【発明の詳細な説明】
【技術分野】
【０００１】
本発明は、プロペラファン及びそれを備えた空気調和装置用室外機に関するものである。
【背景技術】
【０００２】
特許文献１には、動翼を備えたジェットファンが記載されている。この動翼は、片面に反りを有する翼型を備えている。また、この動翼は、先端から根元にかけて反り角が徐々に小さくなるような反り角分布を有している。
【先行技術文献】
【特許文献】
【０００３】
【特許文献１】特開２００３−１５６０００号公報
【発明の概要】
【発明が解決しようとする課題】
【０００４】
特許文献１に記載された動翼では、根元から先端にかけて反り角がなだらかに増加しているため、動翼の負圧面側の空気が遠心力によって径方向に流れる径方向流れを十分に抑制できない。負圧面側の径方向流れは、翼の先端部の負圧面側に形成される翼端渦と衝突する。これにより、翼端渦の形成が不安定化するため、騒音が増大してしまうという課題があった。【０００５】
本発明は、上述のような課題を解決するためになされたものであり、騒音を低減できるプロペラファン及び空気調和装置用室外機を提供することを目的とする。
【課題を解決するための手段】
【０００６】
本発明に係るプロペラファンは、回転軸上に設けられた軸部と、前記軸部の外周側に設けられた翼と、を備え、前記翼は、前記軸部に接続された付け根部と、前記付け根部又は前記付け根部よりも外周側に位置し、前記回転軸からの距離がｒ１となる第１部分と、前記回転軸からの距離がｒ１よりも長いｒ２となる第２部分と、前記回転軸からの距離がｒ２以上であるｒ３となる第３部分と、前記翼の外周端に位置し、前記回転軸からの距離がｒ３よりも長いｒｔとなるチップ部と、を有しており、前記第１部分での前記翼の反り角をθ１とし、前記第２部分での前記翼の反り角をθ２とし、前記第３部分での前記翼の反り角をθ３とし、前記チップ部での前記翼の反り角をθｔとしたとき、（θ２−θ１）／（ｒ２−ｒ１）＞（θｔ−θ３）／（ｒｔ−ｒ３）≧０の関係が満たされるものである。【０００７】
本発明に係る空気調和装置用室外機は、上記本発明に係るプロペラファンを備えたものである。
【発明の効果】
【０００８】
本発明によれば、翼の負圧面側の径方向流れを抑制できるため、径方向流れが翼端渦と衝突するのを防ぐことができ、翼端渦の形成を安定化することができる。また、本発明によれば、翼の正圧面側から負圧面側への漏れ流れを抑制できるため、翼端渦の形成をさらに安定化することができる。したがって、本発明によれば、プロペラファンの騒音を低減することができる。
【図面の簡単な説明】
【０００９】
【図１】本発明の実施の形態１に係るプロペラファンの概略構成を示す断面図である。
【図２】本発明の実施の形態１に係るプロペラファンの翼２０における回転軸Ｒからの距離と反り角との関係を示すグラフである。
【図３】本発明の実施の形態１に係るプロペラファンの翼２０における反り角の定義を示す説明図である。
【図４】本発明の実施の形態１の変形例に係るプロペラファンの概略構成を示す断面図である。
【図５】本発明の実施の形態２に係るプロペラファンの概略構成を示す断面図である。
【図６】本発明の実施の形態２に係るプロペラファンの翼２０における回転軸Ｒからの距離と反り角との関係を示すグラフである。
【図７】本発明の実施の形態３に係るプロペラファンの概略構成を示す断面図である。
【図８】本発明の実施の形態３に係るプロペラファンの翼２０における回転軸Ｒからの距離と反り角との関係を示すグラフである。
【図９】本発明の実施の形態４に係るプロペラファンの概略構成を示す断面図である。
【図１０】本発明の実施の形態４に係るプロペラファンの翼２０における回転軸Ｒからの距離と反り角との関係を示すグラフである。
【図１１】本発明の実施の形態４の変形例に係るプロペラファンの翼２０における回転軸Ｒからの距離と反り角との関係を示すグラフである。
【図１２】本発明の実施の形態５に係る空気調和装置用室外機の概略構成を示す模式図である。
【発明を実施するための形態】
【００１０】
実施の形態１．
本発明の実施の形態１に係るプロペラファンについて説明する。プロペラファンは、例えば、空気調和装置又は換気装置などに用いられるものである。図１は、本実施の形態に係るプロペラファンの概略構成を示す断面図である。図１では、回転軸Ｒを含む平面で切断されたプロペラファンの径方向断面を示している。なお、図１を含む以下の図面では、各構成部材の相対的な寸法の関係や形状等が実際のものとは異なる場合がある。
【００１１】
図１に示すように、プロペラファンは、回転軸Ｒ上に設けられ回転軸Ｒを中心として回転するボス１０（軸部の一例）と、ボス１０の外周側に設けられた複数枚の板状の翼２０（図１では、１枚の翼２０のみを示している）と、ボス１０及び複数枚の翼２０を回転駆動するモータ（図示せず）と、を有している。翼２０の回転により生じる風の風向は、図１中の下方向である。また、図１において、翼２０の上面が負圧面となり、翼２０の下面が正圧面となる。
【００１２】
翼２０は、ボス１０に接続された付け根部２１と、翼２０の外周端に位置するチップ部２２と、を有している。回転軸Ｒからチップ部２２までの距離はｒｔである。翼２０は、後述する図３に示す周方向断面において、負圧面側が凸となり正圧面側が凹となるような反りを有している。また、翼２０は、径方向において所定の反り角分布を有している。すなわち、翼２０の反り角は、回転軸Ｒからの距離に応じて異なっている。反り角の定義については、図３を用いて後述する。
【００１３】
翼２０は、付け根部２１とチップ部２２との間（付け根部２１自体を含む）に、第１部分Ｐ１、第２部分Ｐ２及び第３部分Ｐ３を有している。第１部分Ｐ１は、付け根部２１よりも外周側又は付け根部２１に位置する任意の部分である。回転軸Ｒから第１部分Ｐ１までの距離はｒ１である。第２部分Ｐ２は、第１部分Ｐ１よりも外周側に位置している。回転軸Ｒから第２部分Ｐ２までの距離は、上記の距離ｒ１よりも長いｒ２となる（ｒ１＜ｒ２）。第３部分Ｐ３は、第２部分Ｐ２と一致しているか、又は第２部分Ｐ２よりも外周側に位置している。また、第３部分Ｐ３は、チップ部２２よりも内周側に位置している。回転軸Ｒから第３部分Ｐ３までの距離は、距離ｒ２以上でかつ距離ｒｔよりも短いｒ３となる（ｒ２≦ｒ３＜ｒｔ）。距離ｒ１、距離ｒ２、距離ｒ３及び距離ｒｔは、ｒ１＜ｒ２≦ｒ３＜ｒｔの関係を満たしている。また、距離ｒ１及び距離ｒｔは、０．５ｒｔ≦ｒ１の関係を満たすことが望ましい。
【００１４】
図２は、本実施の形態に係るプロペラファンの翼２０における回転軸Ｒからの距離と反り角との関係、すなわち翼２０の径方向における反り角の分布を示すグラフである。図２の横軸は回転軸Ｒからの距離を表しており、縦軸は反り角を表している。図２では、本実施の形態に係る翼２０の反り角分布を実線で示しており、比較例の翼の反り角分布を破線で示している。比較例の翼の反り角分布では、回転軸Ｒからの距離の増加に従って反り角が線形的に増加している。
【００１５】
本実施の形態に係る翼２０において、回転軸Ｒからの距離がｒ１となる部分（すなわち、第１部分Ｐ１）での反り角をθ１とし、回転軸Ｒからの距離がｒ２となる部分（すなわち、第２部分Ｐ２）での反り角をθ２とし、回転軸Ｒからの距離がｒ３となる部分（すなわち、第３部分Ｐ３）での反り角をθ３とし、回転軸Ｒからの距離がｒｔとなる部分（すなわち、チップ部２２）での反り角をθｔとする。図２に示すように、翼２０は、
（θ２−θ１）／（ｒ２−ｒ１）＞（θｔ−θ３）／（ｒｔ−ｒ３）≧０
の関係を満たすように形成されている。
【００１６】
上記のような反り角分布の結果として、本例では、翼２０のうち少なくとも第１部分Ｐ１からチップ部２２までの部分は、図１に示す径方向断面において、負圧面側が凸となり正圧面側が凹となるように湾曲している。
【００１７】
ここで、図１及び図２に示す例において、翼２０の第１部分Ｐ１から第２部分Ｐ２までの区間、第２部分Ｐ２から第３部分Ｐ３までの区間、及び第３部分Ｐ３からチップ部２２までの区間のそれぞれでは、回転軸Ｒからの距離の増加に従って反り角が単調かつ線形的に増加している。しかしながら、それぞれの区間での反り角の分布は、図１及び図２に示す例に限られない。例えば、第１部分Ｐ１から第２部分Ｐ２までの区間での反り角は、必ずしも線形的に増加していなくてもよいし、必ずしも単調に増加していなくてもよい。また、第２部分Ｐ２から第３部分Ｐ３までの区間での反り角は、必ずしも増加していなくてもよく、回転軸Ｒからの距離の増加に従って減少していてもよい。さらに、第３部分Ｐ３からチップ部２２までの区間での反り角は、必ずしも増加していなくてもよく、回転軸Ｒからの距離に関わらず一定であってもよい。
【００１８】
図３は、本実施の形態に係るプロペラファンの翼２０における反り角の定義を示す説明図である。図３では、回転軸Ｒを中心とした円筒面で翼２０が切断された３次元の翼断面を２次元平面に展開した翼断面３０を示している。図３の左方向が回転方向であり、右方向が反回転方向である。翼断面３０において、前縁２３側の端点と後縁２４側の端点とを結ぶ直線を弦線２５といい、弦線２５の長さを弦長Ｌという。点Ｐｍは弦線２５の中点である。翼断面３０は、負圧面側が凸となり正圧面側が凹となる反りを有する。このため、翼断面３０は、弦線２５から反回転方向側にずれる。弦線２５に垂直な方向での翼断面３０と弦線２５との最大距離は、翼高さΔｄとなる。
【００１９】
２次元平面に展開した翼断面３０が円弧形状である場合、前縁２３側の端点における円弧の接線に対する垂線２６と、後縁２４側の端点における円弧の接線に対する垂線２７と、がなす角度θが反り角となる。一方、２次元平面に展開した翼断面３０が円弧形状でない場合、Δｄ・（２／Ｌ）＝（１／ｓｉｎ（θ／２））−（１／ｔａｎ（θ／２））の関係を満たし、かつ０°よりも大きく９０°よりも小さい角度θ（０°＜θ＜９０°）が反り角となる。反り角θは、翼断面３０の反りの度合いを表す角度である。弦長Ｌを一定とすると、反り角θが大きいほど翼高さΔｄが高くなる。図１では、回転軸Ｒからの距離に対する翼高さΔｄの変化が翼２０の形状として表現されている。
【００２０】
図２に破線で示したような線形的な反り角分布を有する比較例の翼では、外周側の翼高さを内周側の翼高さに対して十分に高くすることができない。このため、遠心力により発生する負圧面側の空気の径方向流れ４１（図１参照）を十分に抑制できない。負圧面側の径方向流れ４１は、翼のチップ部の負圧面側に形成される翼端渦４３と衝突する。これにより、翼端渦４３の形成が不安定化するため、プロペラファンの騒音が増大する。
【００２１】
線形的な反り角分布を有する翼において、回転軸Ｒからの距離に対する反り角の傾きを十分に大きくした場合には、負圧面側の径方向流れ４１を抑制できる可能性がある。しかしながら、この場合、チップ部２２で翼２０が立ちすぎるため、正圧面側での空気の径方向流れを抑えることができず、正圧面側から負圧面側への漏れ流れ４２（図１参照）が増加する。これにより、翼端渦４３の形成が不安定化するため、やはりプロペラファンの騒音が増大する。
【００２２】
本実施の形態に係る翼２０では、第１部分Ｐ１での反り角に対する第２部分Ｐ２での反り角の増加量を従来よりも大きくすることができる。このため、第２部分Ｐ２での翼高さを第１部分Ｐ１での翼高さに対して十分に高くすることができる。これにより、負圧面側の径方向流れ４１を抑制することができるため、径方向流れ４１が翼端渦４３と衝突するのを防ぐことができ、翼端渦４３の形成を安定化することができる。
【００２３】
また、本実施の形態に係る翼２０では、第３部分Ｐ３での反り角に対するチップ部２２での反り角の増加量を従来よりも抑えることができる。このため、正圧面側から負圧面側への漏れ流れ４２を抑制でき、翼端渦４３の形成をさらに安定化することができる。したがって、プロペラファンの騒音を低減できるとともに、プロペラファンの効率を向上させることができる。
【００２４】
翼２０の付け根部２１近傍は仕事量が少ないため、付け根部２１近傍の流れはその外周側の流れの影響を受けやすい。このため、付け根部２１近傍で反り角の増加量を大きくしても、負圧面側の径方向流れ４１を抑制する効果が得られにくい。したがって、回転軸Ｒから第１部分Ｐ１までの距離ｒ１は、回転軸Ｒからチップ部２２までの距離ｒｔの半分以上とすることが望ましい（０．５ｒｔ≦ｒ１）。
【００２５】
翼２０は、反り角以外の翼形状パラメータによって、種々の形状になり得る。しかしながら、翼２０の径方向における反り角の分布が、
（θ２−θ１）／（ｒ２−ｒ１）＞（θｔ−θ３）／（ｒｔ−ｒ３）≧０
の関係を満たすことにより、翼形状に関わらず、上記と同様の効果が相対的に得られる。
【００２６】
図４は、本実施の形態の変形例に係るプロペラファンの概略構成を示す断面図である。図４に示すように、本変形例のプロペラファンの翼２０は、最外周のチップ部２２が最も下流側に位置する翼形状を有している。一般に、このような翼形状を有する翼では、チップ部２２が最も下流側に位置することから、負圧面側で内周側から外周側に向かう径方向流れ４１が大きくなりやすい。
【００２７】
しかしながら、本変形例の翼２０は、径方向における反り角の分布が、
（θ２−θ１）／（ｒ２−ｒ１）＞（θｔ−θ３）／（ｒｔ−ｒ３）≧０
の関係を満たすように形成されている。このため、第１部分Ｐ１での反り角に対する第２部分Ｐ２での反り角の増加量を従来よりも大きくすることができる。これにより、第２部分Ｐ２での翼高さを第１部分Ｐ１での翼高さに対して十分に確保できるため、負圧面側の径方向流れ４１を抑制することができる。
【００２８】
また、本変形例の翼２０では、第３部分Ｐ３での反り角に対するチップ部２２での反り角の増加量を従来よりも抑えることができる。このため、正圧面側から負圧面側への漏れ流れ４２を抑制することができる。したがって、本変形例のプロペラファンにおいても、図１に示したプロペラファンと同様に、低騒音化及び高効率化を実現することができる。
【００２９】
このように、チップ部２２が最も上流側に位置する翼形状、及びチップ部２２が最も下流側に位置する翼形状のいずれにおいても、同様の効果を相対的に得られる。
【００３０】
以上説明したように、本実施の形態に係るプロペラファンは、回転軸Ｒ上に設けられたボス１０（軸部の一例）と、ボス１０の外周側に設けられた翼２０と、を備えている。翼２０は、ボス１０に接続された付け根部２１と、付け根部２１又は付け根部２１よりも外周側に位置し、回転軸Ｒからの距離がｒ１となる第１部分Ｐ１と、回転軸Ｒからの距離がｒ１よりも長いｒ２となる第２部分Ｐ２と、回転軸Ｒからの距離がｒ２以上であるｒ３となる第３部分Ｐ３と、翼２０の外周端に位置し、回転軸Ｒからの距離がｒ３よりも長いｒｔとなるチップ部２２と、を有している。第１部分Ｐ１での翼２０の反り角をθ１とし、第２部分Ｐ２での翼２０の反り角をθ２とし、第３部分Ｐ３での翼２０の反り角をθ３とし、チップ部２２での翼２０の反り角をθｔとしたとき、
（θ２−θ１）／（ｒ２−ｒ１）＞（θｔ−θ３）／（ｒｔ−ｒ３）≧０
の関係が満たされる。
【００３１】
この構成によれば、負圧面側の径方向流れ４１を抑制できるとともに、正圧面側から負圧面側への漏れ流れ４２を抑制することができる。したがって、プロペラファンの低騒音化及び高効率化を実現することができる。
【００３２】
また、本実施の形態に係るプロペラファンでは、第１部分Ｐ１と第２部分Ｐ２との間での翼２０の反り角は、回転軸Ｒからの距離の増加に従って増加しており、第３部分Ｐ３とチップ部２２との間での翼２０の反り角は、回転軸Ｒからの距離の増加に従って増加しているか又は一定である。
【００３３】
この構成によれば、第１部分Ｐ１と第２部分Ｐ２との間の全領域で外周側の反り角を内周側よりも大きくすることができる。したがって、負圧面側の径方向流れ４１をより確実に抑制することができる。また、この構成によれば、第３部分Ｐ３とチップ部２２との間の全領域で外周側の反り角を内周側と同等以上にすることができる。したがって、正圧面側から負圧面側への漏れ流れ４２をより確実に抑制することができる。
【００３４】
また、本実施の形態に係るプロペラファンでは、第３部分Ｐ３とチップ部２２との間での翼２０の反り角は、回転軸Ｒからの距離の増加に従って線形的に変化しているか又は一定である。
【００３５】
この構成により得られる効果について説明する。図２に示したグラフにおいて、第３部分Ｐ３（距離ｒ３）とチップ部２２（距離ｒｔ）との間での反り角が高反り角側に凸となる分布を有する場合、翼２０の外周部で過度に圧力が増大するため、正圧面側から負圧面側への漏れ流れ４２が増加してしまう。一方、第３部分Ｐ３とチップ部２２との間での反り角が低反り角側に凸となる分布を有する場合、翼２０の外周端で反り角の増加が急峻になるため、正圧面側から負圧面側への漏れ流れ４２が増加してしまう。本実施の形態では、第３部分Ｐ３とチップ部２２との間での反り角が線形的に変化しているか又は一定であるため、翼２０の外周側での過度な圧力増大、及び翼２０の外周端での急峻な反り角増加を防ぐことができる。したがって、正圧面側から負圧面側への漏れ流れ４２をより確実に抑制することができる。
【００３６】
実施の形態２．
本発明の実施の形態２に係るプロペラファンについて説明する。図５は、本実施の形態に係るプロペラファンの概略構成を示す断面図である。図６は、本実施の形態に係るプロペラファンの翼２０における回転軸Ｒからの距離と反り角との関係、すなわち翼２０の径方向における反り角の分布を示すグラフである。なお、実施の形態１と同一の機能及び作用を有する構成要素については、同一の符号を付してその説明を省略する。図５及び図６に示すように、本実施の形態に係るプロペラファンは、第２部分Ｐ２と第３部分Ｐ３とが一致するように構成されている。すなわち、本実施の形態に係るプロペラファンは、ｒ２＝ｒ３の関係が満たされるとともにθ２＝θ３の関係が満たされるように構成されている。
【００３７】
この構成によれば、翼２０の反り角分布が第１部分Ｐ１とチップ部２２との間の全領域において適切に規定される。したがって、本実施の形態によれば、第１部分Ｐ１とチップ部２２との間の全領域において、径方向流れ４１の抑制効果又は漏れ流れ４２の抑制効果が得られる。
【００３８】
実施の形態３．
本発明の実施の形態３に係るプロペラファンについて説明する。図７は、本実施の形態に係るプロペラファンの概略構成を示す断面図である。図８は、本実施の形態に係るプロペラファンの翼２０における回転軸Ｒからの距離と反り角との関係、すなわち翼２０の径方向における反り角の分布を示すグラフである。なお、実施の形態１と同一の機能及び作用を有する構成要素については、同一の符号を付してその説明を省略する。図７及び図８に示すように、本実施の形態に係るプロペラファンは、ｒ２≦ｒ３≦０．９×ｒｔ（例えば、ｒ２≦ｒ３＝０．９×ｒｔ）の関係が満たされるように構成されている。
【００３９】
翼端渦４３は、回転軸Ｒからチップ部２２までの距離ｒｔの０．１倍程度の幅を有する。このため、ｒ３≦０．９×ｒｔの関係が満たされることにより、第３部分Ｐ３は翼端渦４３よりも内周側に位置する。したがって、本実施の形態によれば、翼端渦４３の影響を抑えつつ、実施の形態１と同様の効果が得られる。
【００４０】
実施の形態４．
本発明の実施の形態４に係るプロペラファンについて説明する。図９は、本実施の形態に係るプロペラファンの概略構成を示す断面図である。図１０は、本実施の形態に係るプロペラファンの翼２０における回転軸Ｒからの距離と反り角との関係、すなわち翼２０の径方向における反り角の分布を示すグラフである。なお、実施の形態１と同一の機能及び作用を有する構成要素については、同一の符号を付してその説明を省略する。図９及び図１０に示すように、本実施の形態に係るプロペラファンは、回転軸Ｒからの距離と翼２０の反り角との関係をグラフに表したとき、低反り角側に凸となる部分が第１部分Ｐ１と第２部分Ｐ２との間の少なくとも一部に存在するように構成されている。
【００４１】
この構成によれば、第１部分Ｐ１と第２部分Ｐ２との間に、外周側に向かって反り角が急峻に増加する領域を設けることができる。このため、負圧面側の径方向流れ４１をより確実に抑制することができる。
【００４２】
図１１は、本実施の形態の変形例に係るプロペラファンの翼２０における回転軸Ｒからの距離と反り角との関係を示すグラフである。図１１に示すように、本変形例に係るプロペラファンは、低反り角側に凸となる部分が第１部分Ｐ１と第２部分Ｐ２との間の少なくとも一部に存在するとともに、回転軸Ｒからの距離に対して翼２０の反り角が滑らかに変化するように構成されている。本変形例によれば、翼２０の翼面上に皺が形成されるのを防ぎつつ、図９及び図１０に示した構成と同様の効果を得ることができる。
【００４３】
実施の形態５．
本発明の実施の形態５に係る空気調和装置用室外機について説明する。図１２は、本実施の形態に係る空気調和装置用室外機の概略構成を示す模式図である。図１２中の下方は室外機の正面側を表しており、図１２中の上方は室外機の背面側を表している。図１２に示すように、空気調和装置用室外機は、箱形形状の筐体１１０を備えている。筐体１１０の背面及び一方の側面には、外部から筐体１１０の内部に空気を流入させる通風孔１１５が形成されている。筐体１１０の前面には、筐体１１０の内部から外部に空気を流出させる開口部１１６と、筐体１１０の内部の空気を開口部１１６に案内する円筒状のベルマウス１１７と、が形成されている。筐体１１０の前面には、開口部１１６を覆うように吹出グリル１３０が取り付けられている。
【００４４】
筐体１１０の内部は、仕切板１１１によって機械室１１３とファン室１１２とに仕切られている。機械室１１３には、圧縮機１１４、冷媒配管及び電気品箱等が収容されている。ファン室１１２には、実施の形態１〜４のいずれかに係るプロペラファン１２０と、プロペラファン１２０によって空気が供給される熱交換器１２１と、が収容されている。
【００４５】
プロペラファン１２０は、ボス１０及び翼２０と、回転軸Ｒを中心としてボス１０及び翼２０を回転駆動するモータ１２２と、を有している。プロペラファン１２０は、空気の流れにおいて熱交換器１２１の下流側に配置されている。
【００４６】
熱交換器１２１は、内部を流通する冷媒と、プロペラファン１２０により送風される空気との熱交換を行うものである。熱交換器１２１は、圧縮機１１４及び負荷側の熱交換器（図示せず）等と共に冷凍サイクルを構成する。熱交換器１２１は、全体としてＬ字形の断面形状を有している。熱交換器１２１は、通風孔１１５がそれぞれ形成された筐体１１０の背面及び一方の側面に沿って配置されている。熱交換器１２１としては、例えば、複数のフィンと内部に冷媒が流れる伝熱管とを備えたクロスフィン式のフィン・アンド・チューブ型熱交換器が用いられる。
【００４７】
翼２０がモータ１２２によって駆動されると、通風孔１１５を介して、筐体１１０の外部の空気が筐体１１０の内部に吸い込まれる。筐体１１０の内部に吸い込まれた空気は、熱交換器１２１を通過し、開口部１１６及び吹出グリル１３０を介して筐体１１０の前面側に吹き出される。
【００４８】
本実施の形態に係る空気調和装置用室外機によれば、実施の形態１〜４のいずれかと同様に、プロペラファン１２０の低騒音化及び高効率化を実現することができる。
【００４９】
本発明は、上記実施の形態に限らず種々の変形が可能である。
例えば、上記実施の形態では、ボス１０を備えたプロペラファンを例に挙げたが、本発明は、ボスを備えないボスレス型のプロペラファンにも適用できる。ボスレス型のプロペラファンは、筒状の軸部と、軸部の外周側に設けられた複数の翼と、軸部に隣接して設けられ複数の翼のうち周方向に隣り合う２つの翼同士を連結する板状の連結部と、を備えている。すなわち、ボスレス型のプロペラファンは、複数の翼が板状の連結部を介して一体化した一体翼を有している。
【００５０】
上記の各実施の形態や変形例は、互いに組み合わせて実施することが可能である。
【符号の説明】
【００５１】
１０  ボス、２０  翼、２１  付け根部、２２  チップ部、２３  前縁、２４  後縁、２５  弦線、２６、２７  垂線、３０  翼断面、４１  径方向流れ、４２  漏れ流れ、４３  翼端渦、１１０  筐体、１１１  仕切板、１１２  ファン室、１１３  機械室、１１４  圧縮機、１１５  通風孔、１１６  開口部、１１７  ベルマウス、１２０  プロペラファン、１２１  熱交換器、１２２  モータ、１３０  吹出グリル、Ｐ１  第１部分、Ｐ２  第２部分、Ｐ３  第３部分、Ｒ  回転軸。
【図１】
2018193545.tif 000003
【図２】
2018193545.tif 000004
【図３】
2018193545.tif 000005
【図４】
2018193545.tif 000006
【図５】
2018193545.tif 000007
【図６】
2018193545.tif 000008
【図７】
2018193545.tif 000009
【図８】
2018193545.tif 000010
【図９】
2018193545.tif 000011
【図１０】
2018193545.tif 000012
【図１１】
2018193545.tif 000013
【図１２】
2018193545.tif 000014
【手続補正書】
【提出日】令和1年8月2日(2019.8.2)
【手続補正１】
【補正対象書類名】明細書
【補正対象項目名】０００６
【補正方法】変更
【補正の内容】
【０００６】
本発明に係るプロペラファンは、回転軸上に設けられた軸部と、前記軸部の外周側に設けられた翼と、を備え、前記翼は、前記軸部に接続された付け根部と、前記付け根部又は前記付け根部よりも外周側に位置し、前記回転軸からの距離がｒ１となる第１部分と、前記回転軸からの距離がｒ１よりも長いｒ２となる第２部分と、前記回転軸からの距離がｒ２以上であるｒ３となる第３部分と、前記翼の外周端に位置し、前記回転軸からの距離がｒ３よりも長いｒｔとなるチップ部と、を有しており、前記第１部分から前記チップ部までの間では、前記回転軸からの距離の増加に従って前記翼の反り角が増加しており、前記第１部分での前記翼の反り角をθ１とし、前記第２部分での前記翼の反り角をθ２とし、前記第３部分での前記翼の反り角をθ３とし、前記チップ部での前記翼の反り角をθｔとしたとき、（θ２−θ１）／（ｒ２−ｒ１）＞（θｔ−θ３）／（ｒｔ−ｒ３）≧０の関係が満たされるものである。
【手続補正２】
【補正対象書類名】特許請求の範囲
【補正対象項目名】全文
【補正方法】変更
【補正の内容】
【特許請求の範囲】
【請求項１】
回転軸上に設けられた軸部と、
前記軸部の外周側に設けられた翼と、を備え、
前記翼は、
前記軸部に接続された付け根部と、
前記付け根部又は前記付け根部よりも外周側に位置し、前記回転軸からの距離がｒ１となる第１部分と、
前記回転軸からの距離がｒ１よりも長いｒ２となる第２部分と、
前記回転軸からの距離がｒ２以上であるｒ３となる第３部分と、
前記翼の外周端に位置し、前記回転軸からの距離がｒ３よりも長いｒｔとなるチップ部と、を有しており、
前記第１部分から前記チップ部までの間では、前記回転軸からの距離の増加に従って前記翼の反り角が増加しており、
前記第１部分での前記翼の反り角をθ１とし、前記第２部分での前記翼の反り角をθ２とし、前記第３部分での前記翼の反り角をθ３とし、前記チップ部での前記翼の反り角をθｔとしたとき、
（θ２−θ１）／（ｒ２−ｒ１）＞（θｔ−θ３）／（ｒｔ−ｒ３）≧０
の関係が満たされるプロペラファン。
【請求項２】
前記第１部分と前記第２部分との間での前記翼の反り角は、前記回転軸からの距離の増加に従って増加しており、
前記第３部分と前記チップ部との間での前記翼の反り角は、前記回転軸からの距離の増加に従って増加しているか又は一定である請求項１に記載のプロペラファン。
【請求項３】
ｒ２＝ｒ３の関係が満たされる請求項１又は請求項２に記載のプロペラファン。
【請求項４】
ｒ３≦０．９×ｒｔの関係が満たされる請求項１〜請求項３のいずれか一項に記載のプロペラファン。
【請求項５】
前記回転軸からの距離と前記翼の反り角との関係をグラフに表したとき、低反り角側に凸となる部分が前記第１部分と前記第２部分との間の少なくとも一部に存在する請求項１〜請求項４のいずれか一項に記載のプロペラファン。
【請求項６】
前記第３部分と前記チップ部との間での前記翼の反り角は、前記回転軸からの距離の増加に従って線形的に変化しているか又は一定である請求項１〜請求項５のいずれか一項に記載のプロペラファン。
【請求項７】
請求項１〜請求項６のいずれか一項に記載のプロペラファンを備えた空気調和装置用室外機。
【国際調査報告】
2018193545.tif 000015
2018193545.tif 000016